(57)【特許請求の範囲】
【請求項１】
赤外線を信号媒体として用いて制御信号を送信し、負荷の制御を行うリモコン送信器において、操作ボタンの押し操作時と、操作ボタンの押し操作解除時に、同一の制御信号を送信することを特徴とするリモコン送信器。
【請求項２】
赤外線を信号媒体として用いて制御信号を送信し、負荷の制御を行うリモコン送信器において、操作ボタンの押し操作時と、操作ボタンの押し操作解除時から一定時間経過時とに、同一の制御信号を送信することを特徴とするリモコン送信器。
【請求項３】
赤外線を信号媒体として用いて制御信号を送信し、負荷の制御を行うリモコン送信器において、操作ボタンの押し操作時に制御信号を送信するとともに、操作ボタンの押し操作解除時から一定期間の間、一定間隔で前記制御信号と同一の制御信号を送信することを特徴とするリモコン送信器。
【請求項４】
上記操作ボタンが、リモコン送信器に設けてある送信操作に用いる全ての操作ボタンであることを特徴とする請求項１乃至３の何れか記載のリモコン送信器。
【請求項５】
上記操作ボタンが、リモコン送信器に設けてある送信操作に用いる操作ボタンの内の一部の操作ボタンであることを特徴とする請求項１乃至３の何れか記載のリモコン送信器。
【請求項６】
上記一部の操作ボタンが、制御信号を赤外線発光によって送信する送信用発光ダイオード若しくは該送信用発光ダイオードの発光面を覆う透光板に隣接配置した操作ボタンであることを特徴とする請求項５の記載のリモコン送信器。
【請求項７】
上記一部の操作ボタンが、制御信号を赤外線発光によって送信する送信用発光ダイオード若しくは該送信用発光ダイオードの発光面を覆う透光板により構成される操作ボタンであることを特徴とする請求項５記載のリモコン送信器。
【請求項８】
設定された時刻に上記制御信号を送信させるタイマー機能を具備していることを特徴とする請求項１乃至７の何れか記載のリモコン送信器。
【請求項９】
上記制御信号が照明器具を制御する信号であることを特徴とする請求項１乃至８の何れか記載のリモコン送信器。
【請求項１０】
照明器具を点灯させる制御信号を送る操作ボタンを備えていることを特徴とする請求項１乃至９の何れか記載のリモコン送信器。
【請求項１１】
照明器具を消灯状態から点灯状態へ移行させる制御信号を送信させる操作ボタンを備えていることを特徴とする請求項１乃至１０の何れか記載のリモコン送信器。
【請求項１２】
目覚まし機能付き照明器具に対して目覚まし機能を制御する制御信号を設定時刻に送信させるタイマ機能を備え、操作ボタンとして目覚まし機能のスヌーズ動作を制御する制御信号を送信する操作ボタンを備えていることを特徴とする請求項１乃至３の何れか記載のリモコン送信器。
【発明の詳細な説明】
【０００１】
【発明の属する技術分野】
本発明は赤外線を信号媒体として用いて制御信号を送信し、負荷の制御を行うリモコン送信器に関するものである。
【０００２】
【従来の技術】
赤外線を信号線媒体として用いて負荷を制御する制御信号を送信するリモコン送信器の基本的な回路は、図１に示すような回路から構成される。
【０００３】
この回路は、複数の操作スイッチＳＷ１…と、該操作スイッチＳＷ１…のオン、オフを監視し、操作スイッチＳＷ１…に対応した制御データに応じて駆動用トランジスタＴｒ１をオン／オフにより変調駆動するマイクロコンピュータからなる送信制御部ＣＴＲと、それぞれに限流用抵抗Ｒ１…を直列接続し、駆動用トランジスタＴｒ１と、電源＋Ｖcｃとの間に接続され、駆動用トランジスタＴｒ１のオン／オフにより駆動され変調された赤外線による制御信号を発射送信する赤外線発光ダイオードからなる送信用発光ダイオードＬＥＤ１…と、電池のような電源（図示せず）とから構成される。
【０００４】
このようなリモコン送信器に用いる操作スイッチＳＷ１…は人の指で押される操作ボタンＢＴ１…と、操作ボタンＢ１…の下に設けられるスイッチ部Ｓ１…とで構成される。
【０００５】
そして操作ボタンＢＴ１…が押されて対応するスイッチ部Ｓ１…がオンすると、送信制御部ＣＴＲは図１４（ａ）に示すようにスイッチ部Ｓ１のスイッチ信号の立ち上がり時に、駆動用トランジスタＴｒ１を介して発光ダイオードＬＥＤ１…を制御駆動し、発光ダイオードＬＥＤ１…から赤外線によって制御信号を図１４（ｂ）に示すように送信させる。この図１４（ｂ）は１つのパルス信号で示しているが、実際には制御データやメーカーを示すコード等を含む変調されたパルス信号が送信される。
【０００６】
この送信された制御信号は負荷側に設けられた受信器で受信され、受信器で復調された制御データに基づいて負荷が制御される。
【０００７】
次にリモコン送信器の形状について説明する。
【０００８】
図１５に示すリモコン送信器は二つの操作ボタンＢＴ１，ＢＴ２を送信器本体１の表面に設け、さらに３つの送信用発光ダイオードＬＥＤ１〜ＬＥＤ３を送信器本体１の前端部に備えるとともに、これら送信用発光ダイオードＬＥＤ１〜ＬＥＤ３を保護するために透光板２を被着してある。
【０００９】
このリモコン送信器では上述のように、操作ボタンＢＴ１…が押されることにより発光ダイオードＬＥＤ１〜ＬＥＤ３より制御信号が赤外線により送信される。
【００１０】
また図１６に示すように操作ボタンＢＴ１…による操作スイッチに加えて、時計Ｔを備え、タイマー機能を有したリモコン送信器も提供されている。
【００１１】
この図１６のリモコン送信器は操作ボタンＢＴ１…を押すことにより発光ダイオードＬＥＤ１〜ＬＥＤ３から制御信号が送信されるのに加え、使用者によって設定された時刻にも、タイマー機能の働きにより送信用発光ダイオードＬＥＤ１〜ＬＥＤ３から制御信号が送信されるようになっている。
【００１２】
この図１６のリモコン送信器は図１に示すような回路構成に加えて、送信制御部ＣＴＲを構成するマイクロコンピュータにタイマー機能を持たせるとともに、計時機能を持たせて、時計Ｔを駆動させるようになっている。
【００１３】
【発明が解決しようとする課題】
ところで通常テレビ受像機、照明器具、空調機等の被制御機器の操作に用いるリモコン送信器は、操作ボタンを押す時には、被制御機器の受信側に向けて使用することが多いが、図１６に示すようなタイマー機能付きのリモコン送信器では、制御信号が出力されるときに必ずしも受信側に向けられているとは限らないため、送信用発光ダイオードの数を多くするなどして、制御信号が受信側に届くように対策を施す必要がある。
【００１４】
一方リモコン送信器の操作ボタンについては、より使いやすくするため、操作ボタンを大きくしたり、また操作ボタンと操作ボタンの間を広くして、誤って他の操作ボタンが押されるのを防ぐことや、隣りの操作ボタンが同時押されるのを防ぐことが求められている。更にその操作ボタンの機能を示す表示も大きくするなどが求められている。また、被制御機器たる負荷をさまざまに制御するため機能が多くなり、それに応じてリモコン送信器に設ける操作ボタンの数も増えてくるといったこともある。
【００１５】
更にまた、リモコン送信器自身については、置き場所をとらないようにするための理由等から小型化が求められている。そのため操作ボタンが送信用発光ダイオード又は透光板の近傍に設けられてしまうことがある。あるいは、送信用発光ダイオードや透光板そのものを操作ボタンとする必要がでてくる。
【００１６】
そういった場合、図１４のようなタイミングで制御信号を出力すると、操作ボタンを押した指、あるいは手が赤外線を遮断して受信側（被制御機器）に制御信号が届かなくなる可能性が高くなってしまうという欠点がある。
【００１７】
本発明は上述のような欠点に鑑みてなされたものであり、その目的とするところは、赤外線による制御信号の到達性を改善したリモコン送信器を提供することにある。
【００１８】
【課題を解決するための手段】
上記の目的を達成するために、請求項１の発明では、赤外線を信号媒体として用いて制御信号を送信し、負荷の制御を行うリモコン送信器において、操作ボタンの押し操作時と、操作ボタンの押し操作解除時に、同一の制御信号を送信することを特徴とする。
【００１９】
請求項２の発明では、赤外線を信号媒体として用いて制御信号を送信し、負荷の制御を行うリモコン送信器において、操作ボタンの押し操作時と、操作ボタンの押し操作解除時から一定時間経過時とに、同一の制御信号を送信することを特徴とする。
【００２０】
請求項３の発明では、赤外線を信号媒体として用いて制御信号を送信し、負荷の制御を行うリモコン送信器において、操作ボタンの押し操作時に制御信号を送信するとともに、操作ボタンの押し操作解除時から一定期間の間、一定間隔で前記制御信号と同一の制御信号を送信することを特徴とする。
【００２１】
請求項４の発明では、請求項１乃至３の何れかの発明において、上記操作ボタンが、リモコン送信器に設けてある送信操作に用いる全ての操作ボタンであることを特徴とする。
【００２２】
請求項５の発明では、請求項１乃至３の何れかの発明において、上記操作ボタンが、リモコン送信器に設けてある送信操作に用いる操作ボタンの内の一部の操作ボタンであることを特徴とする。
【００２３】
請求項６の発明では、請求項５の発明において、上記一部の操作ボタンが、制御信号を赤外線発光によって送信する送信用発光ダイオード若しくは該送信用発光ダイオードの発光面を覆う透光板に隣接配置した操作ボタンであることを特徴とする。
【００２４】
請求項７の発明では、請求項５の発明において、上記一部の操作ボタンが、制御信号を赤外線発光によって送信する送信用発光ダイオード若しくは該送信用発光ダイオードの発光面を覆う透光板により構成される操作ボタンであることを特徴とする。
【００２５】
請求項８の発明では、請求項１乃至７の何れかの発明において、設定された時刻に上記制御信号を送信させるタイマー機能を具備していることを特徴とする。
【００２６】
請求項９の発明では、請求項１乃至８の何れかの発明において、上記制御信号が照明器具を制御する信号であることを特徴とする。
【００２７】
請求項１０の発明では、請求項１乃至９の何れかの発明において、照明器具を点灯させる制御信号を送る操作ボタンを備えていることを特徴とする。
【００２８】
請求項１１の発明では、請求項１乃至１０の何れかの発明において、照明器具を消灯状態から点灯状態へ移行させる制御信号を送信させる操作ボタンを備えていることを特徴とする。
【００２９】
請求項１２の発明では、請求項１乃至３の何れかの発明において、目覚まし機能付き照明器具に対して目覚まし機能を制御する制御信号を設定時刻に送信させるタイマ機能を備え、操作ボタンとして目覚まし機能のスヌーズ動作を制御する制御信号を送信する操作ボタンを備えていることを特徴とする。
【００３０】
【発明の実施の形態】
以下本発明を実施形態に基づいて説明する。
（実施形態１）
上述したように図１４（ａ）のようなタイミングで制御信号を送信すると、操作ボタンを押した指、あるいは手が赤外線を遮断して受信側（被制御機器）に制御信号が届かなくなる可能性が高くなってしまう。従って、図１に示す回路構成を用いる点では従来のリモコン送信器と同じであるが、本実施形態ではマイクロコンピュータからなる送信制御部ＣＴＲが図２（ａ）に示す操作スイッチＳＷ１…のスイッチ信号の立ち上がりと、立ち下がりを検出して、それぞれのタイミングでトランジスタＴｒを介して送信用発光ダイオードＬＥＤ１〜ＬＥＤ３を駆動制御して図２（ｂ）に示すように赤外線による制御信号を送信させるようになっている。
【００３１】
つまり使用者が負荷たる被制御機器を制御するとき、リモコン送信器の操作ボタンＢＴ１…が押し操作され、操作ボタンＢＴ１…の下の操作スイッチＳＷ１…のスイッチ部Ｓ１…がオンしたときに上述のように送信用発光ダイオードＬＥＤ１〜ＬＥＤ３から赤外線によって制御信号が送信される。
【００３２】
さらに、押しボタンＢＴ１…の押し操作が解除されて、操作スイッチＳＷ１」…のスイッチ部Ｓ１…がオフしたときにも送信用発光ダイオードＬＥＤ１〜ＬＥＤ３から制御信号が送信される。
【００３３】
従って押し操作する際に使用者の手が邪魔になって、発光ダイオードＬＥＤ１〜ＬＥＤ３から送信された制御信号が被制御機器に到達しなくとも、操作ボタンＢＴ１…から手を離すときにも制御信号が送信されるため、被制御機器の受信器が制御信号を受信しない可能性は非常に低くなる。
【００３４】
ところで本実施形態では図３に示すようにリモコン送信器の送信器本体１自体を小さくして小型化を図り、また使い易さを考えて操作ボタンＢＴ１、ＢＴ２の形状を大きくしている。
【００３５】
そのため、操作ボタンＢＴ１、ＢＴ２と、送信用発光ダイオードＬＥＤ１〜ＬＥＤ３を保護する透光板２よが隣接した形となっている。
【００３６】
而してこのような形状のリモコン送信器が図４に示すような被制御機器３との位置関係で使用された時（被制御機器３が空調機や照明器具の塙合このような位置関係が充分考えられる）、操作ボタンＢＴ１或いはＢＴ２を押す手が邪魔になって制御信号が被制御機器３へ届かない可能性が高いが、上述したように本実施形態では操作ボタンＢＴ１…を押し操作した時と押し操作を解除した時に、夫々制御信号を送信するため、リモコン信号たる制御信号の到達性を改善したリモコン送信器を提供することができるのである。
（実施形態２）
本実施形態のリモコン送信器の形状を図５に示す。本実施形態では送信器本体１の表面に多数の操作ボタンＢＴ１…を設けている。ここで全ての操作ボタンＢＴ１…について実施形態１と同様、図２（ａ）（ｂ）に示すように操作ボタンＢＴ１…を押し操作し時とその押し操作を解除した時に、制御信号を送信するようになっており、実施形態１と同様にリモコン信号たる制御信号の到達性を改善したリモコン送信器となっている。
【００３７】
尚使用回路は図１の回路を基本として使用し、操作ボタン及びスイッチ部からなる操作スイッチを多数設けた点で相違する。
（実施形態３）
上記の実施形態２の場合、全ての操作ボタンＢＴ１…について、操作ボタンＢＴ１…を押し操作した時と押し操作を解除した時に、制御信号を送信するようになっている。一方制御信号を送信する際には、送信用発光ダイオードＬＥＤ１〜ＬＥＤ３に電流を流すため、実施形態２のように全ての操作ボタンＢＴ１…において、一回の操作があれば制御信号が２回送信される構成では電力の消費が大きくなり、電源として用いる電池の消耗が激しくなってしまう。
【００３８】
そこで本実施形態ではリモコン送信器としては、実施形態２と同様図５で示す形状のものを使用するが、透光板２と隣接している操作ボタンＢＴ１，ＢＴ２の操作時のみ、図２（ａ）（ｂ）に示すタイミングで制御信号を送信するようにし、他の操作ボタンＢＴ３…の操作時は従来の通り図１４のように操作ボタンを押し操作したときのみ制御信号を送信するようにしている。
【００３９】
これにより、リモコン信号たる制御信号の到達性を改善し且つ、電池寿命も考慮したリモコン送信器を提供できる。
（実施形態４）
本実施形態のリモコン送信器は図６に示すように送信器本体１の表面中央部に送信用ＬＥＤ１，ＬＥＤ２を備え、その周りに操作ボタンＢＴ１〜ＢＴ４を備えている。尚回路は図１の基本構成に準ずる回路を使用し、操作スイッチの数と発光ダイオードの数のみ相違する。
【００４０】
而して本実施形態では、送信器本体１を卓上に置き。上方の被制御機器３を制御するようになっている。
【００４１】
而して本実施形態の操作ボタンＢＴ１〜ＢＴ３の操作に際しても図２（ａ）に示すようにスイッチ信号が立ち上がる押し操作時と、スイッチ信号が立ち下がる押し操作解除時に、図２（ｂ）に示すように制御信号を送信するようになっており、本実施形態のリモコン送信器もリモコン信号たる制御信号の到達性を改善したリモコン送信器となっている。
（実施形態５）
本実施形態のリモコン送信器も実施形態４と同様に図６の形状のもので且つ図１の回路構成を基本としているものの、制御信号の送信するタイミングが実施形態４と相違する。つまり本実施形態の送信制御部ＣＴＲは、操作ボタンＢＴ１…が押し操作されて操作スイッチＳＷ１…のスイッチ部Ｓ１のスイッチ信号が図７（ａ）に示すように立ち上がったときに、トランジスタＴｒを介して送信用発光ダイオードＬＥＤ１…を駆動して制御信号を図７（ｂ）に示すように送信し、その後操作ボタンＢＴ１…の押し操作が解除されて操作スイッチＳＷ１…のスイッチ部Ｓ１…のスイッチ信号が立ち下がると、一定時間Ｔをカウントし、一定時間Ｔが経過したときに、再びトランジスタＴｒを介して送信用発光ダイオードＬＥＤ１…を駆動して制御信号を送信するようになっている。
【００４２】
つまり上記の各実施形態１〜４のように操作ボタンＢＴ１…を離した瞬間よりも、一定時間Ｔの経過後のほうが、操作ボタンＢＴ１…を押したときに比べ、使用者の手の位置が違うところにある可能性が高いため、制御信号が被制御機器３に届かないといった事態が起こる可能性が低くなり、制御信号の到達性能を改善することができる。
（実施形態６）
本実施形態のリモコン送信器は照明制御用のものであり、図８に示すような断面台形状の送信器本体１の上面部に「全点灯」、「調光点灯」、「豆球」、「消灯」の４つの照明モードに対応する操作ボタンＢＴ１〜ＢＴ４を備えている。
【００４３】
そのうち、「消灯」の操作ボタンＢＴ４の操作時には、従来と同じく、図１４に示すタイミングで制御信号を送信するが、他の３つの押しボタンＢＴ１〜ＢＴ３の操作時については、上述した図７に示すタイミングで制御信号を送信する。
【００４４】
これは、照明制御用リモコン送信器は暗い中で使用されることを考慮したためである。つまり、明るい中で操作するときには、使用者が制御信号を遮らないよう注意することを期待できるが、真っ暗な中では、それが期待しにくい。そのため消灯状態で操作される可能性のない（操作されても意味のない）「消灯」用の操作ボタンＢＴ４については従来通りとし、他の操作ボタンＢＴ１…については図７のように操作ボタンＢＴ１…を離してから一定時間Ｔの経過後にも制御信号を送信することとして到達性を改善している。
【００４５】
尚送信用発光ダイオードＬＥＤ１〜ＬＥＤ３は送信器本体１の上部中央に透光板２で保護される形で設けられ、この設置場所の両側に上記押しボタンＢＴ１〜ＢＴ４を２個ずつ分けて設けてある。
【００４６】
また回路構成は基本的には図１の構成を用い、操作スイッチＳは用途分備え、上記の信号送信の制御処理は送信制御部ＣＴＲを構成するマイクロプロセッサによって行う。
（実施形態７）
本実施形態のリモコン送信器は、図９に示すように送信器本体１の傾斜前面に時計Ｔを設け、上面部中央に操作ボタンＢＴを設け、その両側に透光板２で保護された送信用発光ダイオードＬＥＤ１〜ＬＥＤ４を設けた構造のもので、該操作ボタンＢＴの操作により操作ボタンＢＴの両側に配置している発光ダイオードＬＥＤ１〜ＬＥＤ４から制御信号を送信するのに加え、使用者によって設定された時刻にも、発光ダイオードＬＥＤ１〜ＬＥＤ４から制御信号を送信して負荷を制御するタイマー機能を備えている。
【００４７】
このようにタイマー機能を持つリモコン送信器の場合、制御信号が送信されるときに必ずしも受信側に向けられているとは限らないため、本実施形態では、送信用発光ダイオードＬＥＤ１〜ＬＥＤ４を図示すよう送信器本体１の上部の両側部に透光板２で保護する形で２個ずつ設けて、指向角度を広くしている。また両側の透光板２、２に挟まれた操作ボタンＢＴの操作に対して、図７（ａ）（ｂ）に示したように押し操作時と、押し操作を解除してから一定時間経過Ｔ時に制御信号を送信するようになっている。
【００４８】
このように本実施形態ではタイマー機能を持つ故に、送信用発光ダイオードの数を４個というように多くし（透光板２が大きくし）、その側に操作ボタンＢＴがあっても、制御信号が被制御機器３に届かない可能性を非常に低くくしてある。
【００４９】
尚回路構成は基本的には図１の構成を用い、操作スイッチは用途分備え、タイマー機能、計時機能は送信制御部ＣＴＲを構成するマイクロプロセッサに持たせ、時計Ｔの駆動制御もマイクロプロセッサで行う。尚ＳＷａ，ＳＷｂはタイマー、時計用の設定スイッチである。
（実施形態８）
本実施形態のリモコン送信器は図１０に示すように送信器本体１の上部に送信用発光ダイオードＬＥＤ１〜ＬＥＤ６を横一列に並べて設けるとともい、これら発光ダイオードＬＥＤ１〜ＬＥＤ６を保護するために被着してある透光板２自体を操作スイッチの操作ボタンＢＴとしたものである。
【００５０】
このような構成によって、実施形態５に比べてより多くの送信用発光ダイオードを搭載することができ、指向角度をさらに広げることができる。
【００５１】
しかし、本実施形態において、操作ボタンＢＴを押すということは、確実に発光ダイオードＬＥＤ１〜ＬＥＤ６が送信する赤外線による制御信号の一部を遮断することになってしまう。
【００５２】
このような場合にも図７（ａ）（ｂ）で示したように操作ボタンＢＴを押し操作した時と、操作ボタンＢＴの押し操作を解除してから一定時間Ｔの経過時に制御信号を送信することで、制御信号が被制御機器３に届かないといった事態が起こる可能性を非常に低くしてある。
【００５３】
尚上記構成以外は実施形態７と同じであるので、説明は省略する。
（実施形態９）
本実施形態のリモコン送信器の形状を図１１に示す。本実施形態のリモコン送信器は照明器具と組み合わせて目覚まし動作を行うものである。目覚まし動作とは、使用者が設定したセット時刻（起床時刻）の３０分前にリモコン送信器より制御信号が送信され、それを受けた照明器具が、図１２に示すように目覚まし動作中、時間の経過とともに照度変化を行い、就寝者の目覚めを促すものである。また、スヌーズとは、もうちょっと寝たいときにスヌーズボタンを押すと、照明が一旦消えた後、図１２に示すようにスムーズ動作中、時間の経過とともに照度変化を行うものである。
【００５４】
本実施形態では、図１１で示す送信用発光ダイオードを保護する透光板２がスヌーズボタンを構成する操作ボタンＢＴとなっている。そして、図７（ａ）（ｂ）のように操作ボタンＢＴを押し操作した時と、押し操作を解除してから一定期間経過時に制御信号を送信するようになっている。従って、制御信号が被制御機器３に届かないといった事態が起こる可能性を非常に低くない。
【００５５】
尚頭１１中、実施形態７，８と同じ機能を持つ構成要素には同じ符号を付し説明を省略する。また回路構成は図１の回路を基本構成とし、目覚まし動作、スヌーズ動作に対応する制御信号を送る機能をマイクロプロセッサからなる送信制御部ＣＴＲに持たせている。また時計機能や、目覚まし動作に対応する設定スイッチや操作スイッチを備えているのは言うまでもない。
（実施形態１０）
本実施形態のリモコン送信器は図１１に示す実施形態９と同じ形状を持つもので、且つ実施形態９と同じく照明器具と組み合わせて目覚まし動作を行うものである。
【００５６】
実施形態９と異なるのは、スヌースボタンに対応する操作ボタンＢＴの操作時には照明器具に制御信号を送信する他に、鳴っているアラームを停止する機能も持っているということであり、スヌースボタンである操作ボタンＢＴを押し操作によって制御信号を送信するタイミングについては、図１３のようになっていることである。つまり本実施形態では、図１３（ａ）に示すように操作ボタンＢＴを押し操作してスイッチ信号が立ち上がった時と、押し操作を解除してスイッチ信号が立ち下がった時と、解除から１０秒間に５回制御信号を一定間隔で図１４（ｂ）に示すように送信するようになっている。
【００５７】
而して使用者はアラームが鳴り止むことにより、操作ボタンＢＴを押したと確認できるので、制御信号が送信される際、、押しボタンＢＴを押したときに比べ使用者の手の位置が違うところにある可能性がより高くなるため、制御信号が被制御機器３に届かないといった事態が起こる可能性をさらに低くすることができる。尚アラーム機能はリモコン送信器１に備え、その制御をマイクロプロセッサからなる送信制御部ＣＴＲに持たせている。
【００５８】
【発明の効果】
請求項１の発明は、赤外線を信号媒体として用いて制御信号を送信し、負荷の制御を行うリモコン送信器において、操作ボタンの押し操作時と、操作ボタンの押し操作解除時に、同一の制御信号を送信するので、また請求項２の発明は、赤外線を信号媒体として用いて制御信号を送信し、負荷の制御を行うリモコン送信器において、操作ボタンの押し操作時と、操作ボタンの押し操作解除時から一定時間経過時とに、同一の制御信号を送信するので、更に請求項３の発明は、赤外線を信号媒体として用いて制御信号を送信し、負荷の制御を行うリモコン送信器において、操作ボタンの押し操作時に制御信号を送信するとともに、操作ボタンの押し操作解除時から一定期間の間、一定間隔で前記制御信号と同一の制御信号を送信するので、制御信号が被制御機器３に届かないといった事態が起こる可能性を低くし、制御信号の到達性能を改善したリモコン送信器を提供することができるという効果がある。
【００５９】
請求項４の発明は、請求項１乃至３の何れかの発明において、上記操作ボタンが、リモコン送信器に設けてある送信操作に用いる全ての操作ボタンであるので、全ての操作ボタンについて請求項１乃至３の発明の効果が得られる。
【００６０】
請求項５の発明は、請求項１乃至３の何れかの発明において、上記操作ボタンが、リモコン送信器に設けてある送信操作に用いる操作ボタンの内の一部の操作ボタンであるので、請求項１乃至３の発明の効果に加えて消費電力を必要最低限に押さえることができる。
【００６１】
請求項６の発明は、請求項５の発明において、上記一部の操作ボタンが、制御信号を赤外線発光によって送信する送信用発光ダイオード若しくは該送信用発光ダイオードの発光面を覆う透光板に隣接配置した操作ボタンであるので、また請求項７の発明は、請求項５の発明において、上記一部の操作ボタンが、制御信号を赤外線発光によって送信する送信用発光ダイオード若しくは該送信用発光ダイオードの発光面を覆う透光板により構成される操作ボタンであるので、送信器本体の小型化或いは操作ボタンを大きくして、より使いやすしたリモコン送信器を提供できるという効果が得られる。
【００６２】
請求項８の発明は、請求項１乃至７の何れかの発明において、設定された時刻に上記制御信号を送信させるタイマー機能を具備しているので、負荷をタイマー制御できるリモコン送信器を提供できるという効果がある。
【００６３】
請求項９の発明は、請求項１乃至８の何れかの発明において、上記制御信号が照明器具を制御する信号であるので、照明器具を制御できるリモコン送信器を提供できるという効果がある。
【００６４】
請求項１０の発明は、請求項１乃至９の何れかの発明において、照明器具を点灯させる制御信号を送る操作ボタンを備えているので、照明器具の点灯を制御できるリモコン送信器を提供できるという効果がある。
【００６５】
請求項１１の発明は、請求項１乃至１０の何れかの発明において、照明器具を消灯状態から点灯状態へ移行させる制御信号を送信させる操作ボタンを備えているので、照明器具の照度変化による目覚まし動作を制御することが可能となる。
【００６６】
請求項１２の発明は、請求項１乃至３の何れかの発明において、目覚まし機能付き照明器具に対して目覚まし機能を制御する制御信号を設定時刻に送信させるタイマ機能を備え、操作ボタンとして目覚まし機能のスヌーズ動作を制御する制御信号を送信する操作ボタンを備えているので、照明器具を目覚まし動作の機器として使用することができる上に、スヌーズ動作を行わせることが可能となる。
【図面の簡単な説明】
【図１】本発明に用いるリモコン送信器の回路図である。
【図２】実施形態１の動作説明用タイミングチャートである。
【図３】同上の送信器本体の斜視図である。
【図４】同上の使用説明図である。
【図５】実施形態２の送信器本体の斜視図である。
【図６】実施形態３及び実施形態４の斜視図である。
【図７】実施形態４の動作説明用タイミングチャートである。
【図８】実施形態５の送信器本体の斜視図である。
【図９】実施形態６の送信器本体の斜視図である。
【図１０】実施形態７の送信器本体の斜視図である。
【図１１】実施形態８及び実施形態９の送信器本体の斜視図である。
【図１２】実施形態８の照明器具の動作説明図である。
【図１３】実施形態９の動作説明用タイミングチャートである。
【図１４】従来例の動作説明用タイミングチャートである。
【図１５】従来例の送信器本体の斜視図である
【図１６】別の従来例の送信器本体の斜視図である
【符号の説明】
ＣＴＲ  送信制御部
Ｔｒ１    トランジスタ
ＬＥＤ１〜ＬＥＤ３  送信用発光ダイオード
ＳＷ１、ＳＷ２  操作スイッチ
ＢＴ１，ＢＴ２  操作ボタン
Ｓ１，Ｓ２  スイッチ部
Ｒ１〜Ｒ３  抵抗
＋Ｖｃｃ    電源
【図１】
0004185234.tif 000002
【図２】
0004185234.tif 000003
【図３】
0004185234.tif 000004
【図４】
0004185234.tif 000005
【図５】
0004185234.tif 000006
【図６】
0004185234.tif 000007
【図７】
0004185234.tif 000008
【図８】
0004185234.tif 000009
【図９】
0004185234.tif 000010
【図１０】
0004185234.tif 000011
【図１１】
0004185234.tif 000012
【図１２】
0004185234.tif 000013
【図１３】
0004185234.tif 000014
【図１４】
0004185234.tif 000015
【図１５】
0004185234.tif 000016
【図１６】
0004185234.tif 000017